(57)【要約】      （修正有）【課題】防塵保持構造の交換を迅速、簡易、便利に行うリニアスライド装置を提供する。【解決手段】スライドレールに跨って嵌合して走行するリニアスライド装置のスライドブロックセットの防塵保持構造３０は、スライドブロックセットに固定される保持構成部品３１、該保持構成部品に保持されてスライドブロックセットを封止する防塵片３２、及び該防塵片を該保持構成部品に対して結合・分離する組立て／分解機構３３からなり該組立て／分解機構は、相互に係合する部材３２３、３１５をそれぞれ該保持構成部品及び該防塵片にそれぞれ相対して一体成形により設置し、該防塵片は、上記該組立て／分解機構の相対する係合部材により、組み立て或いは分解が可能とした、ことにより防塵保持構造に対して迅速、簡易及び便利に交換作業を行うことができる。【選択図】図４
0003180642.tif 000002
【実用新案登録請求の範囲】
【請求項１】
スライドレールに跨って嵌合して走行するリニアスライド装置のスライドブロックセットの防塵保持構造において、
該防塵保持構造は、スライドブロックセットに固定される保持構成部品、該保持構成部品に保持されてスライドブロックセットを封止する防塵片、及び該防塵片を該保持構成部品に対して結合・分離する組立て／分解機構からなり
該組立て／分解機構は、相互に係合する部材をそれぞれ該保持構成部品及び該防塵片にそれぞれ相対して一体成形により設置し、
該防塵片は、上記該組立て／分解機構の相対する係合部材により、組み立て或いは分解が可能とした、
ことを特徴とするリニアスライド装置の防塵保持構造。
【請求項２】
前記組立て／分解機構は、一対の嵌合部を備え、
該各嵌合部は、該保持構成部品と一体成形された嵌合フック、及び該防塵片と一体成形されて該嵌合フックと相互に嵌合して連結・結合する嵌合ブロックからなることを特徴とする請求項１に記載のリニアスライド装置の防塵保持構造。
【請求項３】
前記嵌合フックの後方には、スリットを開設してその変形による弾力性を保持せしめたことを特徴とする請求項２に記載のリニアスライド装置の防塵保持構造。
【請求項４】
前記組立て／分解機構は、第一嵌合部及び第二嵌合部を備え、
該第一嵌合部は、該保持構成部品と一体成形された嵌合フック、及び該防塵片と一体成形されて該嵌合フックと相互に嵌合して連結・結合する嵌合ブロックを備え、
該第二嵌合部は、該保持構成部品と一体成形された第一嵌合フック、該保持構成部品と一体成形されて該第一嵌合フックと背中合わせに配置された第二嵌合フック、及び該防塵片に開設されて該第一嵌合フックと該第二嵌合フックとを嵌合して連結する嵌合スリットを備えることを特徴とする請求項１に記載のリニアスライド装置の防塵保持構造。
【請求項５】
前記組立て／分解機構は、一対の嵌合部を備え、
該各嵌合部は、該保持構成部品と一体成形された第一嵌合フック、該保持構成部品と一体成形された該第一嵌合フックと背中合わせに配置された第二嵌合フック、及び該防塵片に開設され、該第一嵌合フックと該第二嵌合フックとを嵌合して連結する嵌合スリットを備えることを特徴とする請求項１に記載のリニアスライド装置の防塵保持構造。
【請求項６】
前記防塵片は、金属片、及び２個の防塵ストリップからなり、
該金属片は、ベース、及び該ベースから外側へと突出して伸びる４本の延伸脚により構成する「H」の字型板であって、
該各防塵ストリップは、該各延伸脚の外表面と該ベースが該各延伸脚に対応する連線区域を覆うことを特徴とする請求項１に記載のリニアスライド装置の防塵保持構造。
【請求項７】
前記保持構成部品は、底板を備え、
該防塵片が、該保持構成部品に連接する時には、該各延伸脚は、該底板の外部に突出して露出することを特徴とする請求項６に記載のリニアスライド装置の防塵保持構造。
【請求項８】
リニアスライド装置は、スライドレール、スライドブロックセット、防塵保持構造、保持構成部品を備え、
該スライドブロックセットは、該スライドレールに跨って嵌合して該スライドレールに沿って走行可能であり、該スライドブロックセットは、メインスライドブロック、及び該メインスライドブロックの端部にそれぞれ対応する２個の端蓋を備え、
該防塵保持構造は、該メインスライドブロックに固定される保持構成部品、該保持構成部品に保持されてスライドブロックセットを封止する防塵片、及び該防塵片を該保持構成部品に対して結合・分離する組立て／分解機構からなり
該組立て／分解機構は、相互に係合する部材をそれぞれ該保持構成部品及び該防塵片にそれぞれ相対して一体成形により設置し、
該防塵片は、上記該組立て／分解機構の相対する係合部材により、組み立て或いは分解が可能とした、
ことを特徴とするリニアスライド装置。
【請求項９】
前記組立て／分解機構は、一対の嵌合部を備え、
該各嵌合部は、該保持構成部品と一体成形された嵌合フック、及び該防塵片と一体成形されて、該嵌合フックと相互に嵌合して連結・結合する嵌合ブロックを備えることを特徴とする請求項８に記載のリニアスライド装置。
【請求項１０】
前記嵌合フックの後方には、スリットを開設してその変形による弾力性を保持せしめたことを特徴とする請求項９に記載のリニアスライド装置。
【請求項１１】
前記組立て／分解機構は、第一嵌合部及び第二嵌合部を備え、
該第一嵌合部は、該保持構成部品と一体成形された嵌合フック、及び該防塵片と一体成形されて該嵌合フックと相互に嵌合して連結・結合する嵌合ブロックを備え、
該第二嵌合部は、該保持構成部品と一体成形された第一嵌合フック、該保持構成部品と一体成形されて該第一嵌合フックと背中合わせに配置された第二嵌合フック、及び該防塵片に開設し、該第一嵌合フックと該第二嵌合フックとを嵌合して連結・結合する嵌合スリットを備えることを特徴とする請求項８に記載のリニアスライド装置。
【請求項１２】
前記組立て／分解機構は、一対の嵌合部を備え、
該各嵌合部は、該保持構成部品と一体成形された第一嵌合フック、該保持構成部品と一体成形されて該第一嵌合フックと背中合わせに配置された第二嵌合フック、及び該防塵片に開設し、該第一嵌合フックと該第二嵌合フックとを嵌合して連結・結合する嵌合スリットを備えることを特徴とする請求項８に記載のリニアスライド装置。
【請求項１３】
前記防塵片は、金属片、及び２個の防塵ストリップを備え、
該金属片は、ベース、及び該ベースから外側へと突出して伸びる４本の延伸脚により構成する「H」の字型板で、
該各防塵ストリップは、該各延伸脚の外表面と該ベースが該各延伸脚に対応する連線区域を覆うことを特徴とする請求項８に記載のリニアスライド装置。
【請求項１４】
前記保持構成部品は、底板を備え、
該防塵片が、該保持構成部品に連接する時には、該各延伸脚は、該底板の外部に突出して露出することを特徴とする請求項１３に記載のリニアスライド装置。
【請求項１５】
前記該各延伸脚の端部は、該各端蓋の外端面以内に位置することを特徴とする請求項１４に記載のリニアスライド装置。
【考案の詳細な説明】
【技術分野】
【０００１】
本考案はリニアスライド装置に関し、特にリニアスライド装置及びその防塵保持構造に関する。
【背景技術】
【０００２】
リニアスライド装置の工業における応用は、日に日に普及している。
リニアスライド装置は、非常に精密な移送供給効果を達成できる他、摩擦消耗率が小さく、エネルギー転換性能が高く、騒音が小さく、剛性が高いため損壊しにくい等の多くの長所を備える。
【０００３】
各パーツ間の磨擦損耗を減らし、円滑な移送を実現するため、スライドレールとスライドブロックのローリング体に対応する区域には、潤滑油を充填する。
しかし、これら潤滑油は、周囲の環境の影響を極めて受け易く、ホコリが付着する等の不良状況が発生しやすい。
或いは、構造の設計により、潤滑油が漏れるという問題も発生する。
よって、いかにして防塵と漏れ防止を実現するかは、業界が取り組んでいる重要課題である。
【０００４】
従来のリニアスライド装置は、特許文献１に開示するように、スライドレール、スライドブロック、防塵保持器からなる。
該スライドブロックは、メインスライドブロック、及び該メインスライドブロックの端部に対応して連接する２個の端蓋を備える。
該防塵保持器は、該スライドレールと該スライドブロックとの間に設置し、かつ、該防塵保持器は、矩形基板、及び該矩形基板の各角端位置から延伸して伸びる４本の挿入セクションを備える。
組合せ時には、該各挿入セクションを、それぞれ該各端蓋の内部に挿入し、組立て定位を行う。
【０００５】
しかし、従来のリニアスライド装置は、防塵と漏れ防止の効果を備えるが、これら防塵保持器は、長時間正常使用すると消耗が生じ、交換しなければならない。
けれども、該挿入セクションは、端蓋の内部に挿入して固定するため、交換と組立ての過程では、先ず、端蓋を取り外し、次に、ようやく防塵保持器をスライドブロック上から取り外すことができる。
これでは、メンテナンスや部品の交換、組立てが不便で、しかもメンテナンス人員の作業時間は長くなってしまい、これによりコストが高騰するという問題もある。
本考案は、従来のリニアスライド装置及びその防塵保持構造の上記した欠点に鑑みてなされたものである。
【先行技術文献】
【特許文献】
【０００６】
【特許文献１】中華民国考案公告第I299773号
【特許文献２】特開２０１０−３８２２６号公報
【考案の概要】
【考案が解決しようとする課題】
【０００７】
本考案が解決しようとする第一の課題は、組立て／分解機構の設置により、防塵保持構造を迅速、簡易、及び便利に交換することができるリニアスライド装置の防塵保持構造を提供することである。
本考案が解決しようとする第二の課題は、組立て／分解機構の設置と防塵片により、防塵保持構造を迅速、簡易、及び便利に交換することができるリニアスライド装置を提供することである。
【課題を解決するための手段】
【０００８】
上記課題を解決するため、本考案は下記のリニアスライド装置及びその防塵保持構造を提供する。
リニアスライド装置の防塵保持構造において、リニアスライド装置は、スライドブロックセットを備え、
防塵保持構造は、保持構成部品、防塵片、組立て／分解機構を備え、
該保持構成部品は、該スライドブロックセットに固定し、
該防塵片は、該保持構成部品に対応して設置し、
該組立て／分解機構は、該保持構成部品及び該防塵片上にそれぞれ成型し、
該保持構成部品と該防塵片とは、該組立て／分解機構を通して、組み立て或いは分解が行われ、
リニアスライド装置は、スライドレール、スライドブロックセット、防塵保持構造を備え、
該スライドブロックセットは、該スライドレールに跨って嵌合して該スライドレールに沿って走行し、メインスライドブロック、及び該メインスライドブロックの端部にそれぞれ対応する２個の端蓋を備え、
該防塵保持構造は、該スライドレールと該スライドブロックセットとの間に設置し、保持構成部品、防塵片、組立て／分解機構を備え、
該保持構成部品は、該メインスライドブロックに固定し、
該防塵片は、該保持構成部品に対応して設置し、
該組立て／分解機構は、該保持構成部品及び該防塵片上にそれぞれ成型し、
該保持構成部品と該防塵片とは、該組立て／分解機構を通して、組み立て或いは分解が行われる。
【考案の効果】
【０００９】
本考案のリニアスライド装置及びその防塵保持構造において、防塵保持構造は工具の補助を一切必要とせず、防塵片を取り外して交換することができ、保持構成部品と防塵片の独立個体により、保持構成部品或いは防塵片の内の何れかが損壊した時には、損壊したパーツだけを交換すれば良く、未損壊のパーツは継続使用が可能であるため、メンテナンスコストを大幅に引き下げることができる。
【図面の簡単な説明】
【００１０】
【図１】本考案リニアスライド装置の組合せ模式図である。
【図２】本考案のスライドブロックセットと防塵片の分解図である。
【図３】本考案のスライドブロックセットと防塵保持構造の組合せ図である。
【図４】本考案防塵保持構造第一実施例の分解図である。
【図５】本考案防塵保持構造第一実施例の組合せ図である。
【図６】本考案防塵保持構造第一実施例の組合せ断面図である。
【図７】本考案防塵保持構造第二実施例の分解図である。
【図８】本考案防塵保持構造第二実施例の組合せ図である。
【図９】本考案防塵保持構造第二実施例の組合せ断面図である。
【図１０】本考案防塵保持構造第三実施例の分解図である。
【図１１】本考案防塵保持構造第三実施例の組合せ図である。
【図１２】本考案防塵保持構造第三実施例の組合せ断面図である。
【考案を実施するための形態】
【００１１】
以下に図面を参照しながら本考案を実施するための最良の形態について詳細に説明する。
【実施例】
【００１２】
図１〜３に示すように、本考案リニアスライド装置及びその防塵保持構造のリニアスライド装置は、スライドレール10、スライドブロックセット20、防塵保持構造30からなる。
【００１３】
該スライドレール10は、細長い形状で、合金鋼或いは工具鋼等の剛性に優れた材料で製造し、該スライドレール10左右両側で、しかも相互に対応する位置には、それぞれ斜面を設置する。
【００１４】
該スライドブロックセット20は、スライドレール10に跨って嵌合して、スライドレールに沿って移動可能であり、本実施例のスライドブロックセット20は、メインスライドブロック21、前端蓋22、後端蓋23を備える。
【００１５】
該メインスライドブロック21は、おおよそ平底の「U」字型で、それは底台211、及び該底台211の両側に平行に延伸する２個のサイドアーム212、213により構成する。
【００１６】
該底台211と該２個のサイドアーム212、213との間には、開口部214を形成し、該メインスライドブロック21は、該開口部214により、該スライドレール10に跨って嵌合した状態でスライドレールに沿って走行する。
【００１７】
該底台211と該２個のサイドアーム212、213の相互に接合する位置には、それぞれ槽道215を設置する。
【００１８】
該槽道215と該スライドレール10の斜面とは、対応して配置し、多数のローリング体24を対応させて装填する。
【００１９】
前端蓋22と後端蓋23は、該メインスライドブロック21の前後端部にそれぞれ対応して蓋を構成する。
【００２０】
本考案防塵保持構造の第一実施例を示す図４〜６に示すように、防塵保持構造30は、該スライドレール10と該スライドブロックセット20との間に設置し、かつ保持構成部品31、防塵片32、組立て／分解機構33からなる。
【００２１】
該保持構成部品31は、プラスチック材料の射出成型により製造し、底板311、該底板311両側からそれぞれ延伸する側板312を備える。
【００２２】
該各側板312自由端の外端面には、接触停止斜面313を成型し、該接触停止斜面313は、該ローリング体24に接して押圧し、脱落を防止する。
【００２３】
該防塵片32も、プラスチック材料の射出成型により製造する「H」の字型板、或いは金属片320及び２個の防塵ストリップ325により構成する。
【００２４】
該金属片320は、ベース321、及び該ベース321より外側へと突出する４本の延伸脚322により構成する「H」の字型板である。
【００２５】
該防塵ストリップ325は、細長い形状で、各延伸脚322の外表面とベース321に嵌めて覆い、該各延伸脚322の連線区域に対応する。
【００２６】
本実施例の組立て／分解機構33は、一対の嵌合部331を備え、該各嵌合部331は、該保持構成部品31と一体成形される嵌合フック315、及び防塵片32と一体成形され、嵌合フック315と相互に嵌合して連結する嵌合ブロック323を備える（図４参照。）。
【００２７】
該嵌合フック315の後方には、スリット316を開設し、これにより該嵌合フック315は、優れた弾性変形能力を備える。
【００２８】
該防塵片32と該保持構成部品31の嵌合連結、或いは分解分離は主に、該各嵌合フック315と該各嵌合ブロック323によって達成される。
【００２９】
さらに、該防塵片32を、該保持構成部品31に組立てる時には、該各延伸脚322は、該底板311の外部に突出して露出する。
【００３０】
かつ、これら延伸脚322の端部は、前端蓋22と後端蓋23の外端面以内に位置(図３参照)し、該延伸脚322の端部は、該前、後端蓋22、23の外端面に突出しない。
【００３１】
本考案防塵保持構造の第二実施例図である図７〜９に示すように、本実施例と上記した実施例の差異は、防塵保持構造30aの組立て／分解機構33aが、第一嵌合部331a及び第二嵌合部332aを備える点である。
【００３２】
該第一嵌合部331aは、保持構成部品31aと一体成形される嵌合フック315a、及び防塵片32aと一体成形され、該嵌合フック315aと相互に嵌合して連結する嵌合ブロック323aを備える。
【００３３】
該第二嵌合部332aは、保持構成部品31aと一体成形される第一嵌合フック317a、保持構成部品31aと一体成形され、かつ上記第一嵌合フック317aに対して背中合わせに反対向きの第二嵌合フック318a、及び防塵片32aに開設し、該第一嵌合フック317aと該第二嵌合フック318aを嵌合して連結する嵌合スリット324aを備える。
【００３４】
本実施例もまた、該防塵片32aの両側辺の局部区域を、細長い形状の防塵ストリップ325で覆う。
【００３５】
本考案防塵保持構造の第三実施例図である図１０〜１２に示すように、本実施例と上記した各実施例との差異は、防塵保持構造30bの組立て／分解機構33bが、一対の嵌合部331bを備える点である。
【００３６】
該各嵌合部331bは、保持構成部品31bと一体成形される第一嵌合フック317b、保持構成部品31bと一体成形され、かつ該第一嵌合フック317bに対して背中合わせに反対向きの第二嵌合フック318b、及び該防塵片32bに開設し、該第一嵌合フック317bと該第二嵌合フック318bを、嵌合して連結する嵌合スリット324bを備える。
【００３７】
本実施例もまた、該防塵片32b両側辺の局部区域を、細長い形状の防塵ストリップ325で覆う。
【００３８】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００３９】
本考案は実用新案登録の要件である新規性を備え、従来の同類製品に比べ十分な進歩性を有し、実用性が高く、社会のニーズに合致しており、産業上の利用価値は非常に大きい。
【符号の説明】
【００４０】
10  スライドレール
20  スライドブロックセット
21  メインスライドブロック
211  底台
212、213  サイドアーム
214  開口部
215  槽道
22  前端蓋
23  後端蓋
24  ローリング体
30、30a、30b  防塵保持構造
31、31a、31b  保持構成部品
311  底板
312  側板
313  接触停止斜面
315、315a  嵌合フック
316  スリット
317a、317b  第一嵌合フック 
318a、318b  第二嵌合フック
32、32a、32b  防塵片
320  金属片
321  ベース
322  延伸脚
323、323a  嵌合ブロック
324a、324b  嵌合スリット
325  防塵ストリップ
33、33a、33b  組立て／分解機構
331、331b  嵌合部
331a  第一嵌合部
332a  第二嵌合部
【図１】
0003180642.tif 000003
【図２】
0003180642.tif 000004
【図３】
0003180642.tif 000005
【図４】
0003180642.tif 000006
【図５】
0003180642.tif 000007
【図６】
0003180642.tif 000008
【図７】
0003180642.tif 000009
【図８】
0003180642.tif 000010
【図９】
0003180642.tif 000011
【図１０】
0003180642.tif 000012
【図１１】
0003180642.tif 000013
【図１２】
0003180642.tif 000014